(57)【特許請求の範囲】
【請求項１】
背板（１）と、それを介して開閉可能に接続された、ともに浅い箱型をした表蓋（２）および裏蓋（３）とを最小限の構成要素として有する扁平箱型のＣＤ容器であって、背板（１）と表蓋（２）および裏蓋（３）との接続はヒンジ結合（４）とし、表蓋（２）と裏蓋（３）との嵌合により容器を閉じた状態に保つことができ、裏蓋（３）のほぼ中央には、裏蓋とＣＤとを離隔するスペーサー（５）と、収容されるＣＤの中心孔と嵌合してＣＤを固定するための係止装置を設けたＣＤ容器において、上記の係止装置が、γ字形状をした１個の可動片（６）と、それに対して独立であって、円周上のほぼ等間隔の位置において裏蓋から立ち上がり、ＣＤの中心孔に内接してその位置決めをする３個の固定片（７）とからなり、可動片（６）は、γ字形状の上部両端がそれぞれ、裏蓋からほぼ垂直に立ち上がる立ち上がり部材（６１，６２）を介して裏蓋（３）に連続することにより、裏蓋と平行な可動面（６４）を形成し、γ字形状の下部端からは、裏蓋に向かってほぼ垂直に立ち下がる立ち下がり部材（６３）が延び、可動面は立ち上がり部材のバネ作用により裏蓋に向かって若干変形可能であり、上記の立ち上がり部材（６１，６２）および立ち下がり部材（６３）の上部には、放射方向に突出した抑え突起（６５）を設け、それらの形成する外周をＣＤの中心孔の直径よりわずかに大きく形成することにより、収容状態ではこの抑え突起がＣＤの中心孔の上方に位置してこれと係合するとともにスペーサーと協働してＣＤを裏蓋に固定し、取り出し時には、可動面を押し下げて抑え突起をＣＤの下方に移動させ、係合を解除するように構成したＣＤ容器。
【請求項２】
表蓋（２）および裏蓋（３）の周縁において左右両側の辺から内側に向かって立ち上がる縁（２１，３１）のほぼ中央部は、容器を開くための後退部（２２，３２）を形成し、周縁のその他の部分の少なくとも一部において、表蓋および裏蓋の一方に突出片（２３）を、他方にそれらに対応する溝（３３）をそれぞれ設けて、両者の嵌合により容器を閉じた状態を保てるようにし、表蓋（２）の内部にＬ字型のパンフレット止め（２４）を設けた請求項１のＣＤ容器。
【請求項３】
裏蓋（３）に、前記係止装置と同心であってＣＤの外周よりわずかに大きい直径をもつ、連続的な、または断続的な突条（８）を設けて、ＣＤの周囲を限定するように構成した請求項１のＣＤ容器。
【請求項４】
背板（１）のほぼ中央に、それから垂直に立ち上がる背板ＣＤ抑え（１１）を設け、かつ、表蓋（２）の背板ＣＤ抑えに対応する位置に、表蓋ＣＤ抑え（２５）を設け、ＣＤ容器を閉じたときに、背板ＣＤ抑えと表蓋ＣＤ抑えとが協働して、ＣＤが係止装置から離脱することを防止した請求項１のＣＤ容器。
【請求項５】
材料としてポリプロピレンを使用した請求項１のＣＤ容器。
【発明の詳細な説明】
【技術分野】
【０００１】
本発明は、ＣＤ容器の改良に関する。本考案のＣＤ容器は、容器へのＣＤの収容および容器からのＣＤの取り出しが容易であって、しかも収容状態では、ＣＤが確実に固定され保持され、輸送時の振動によりＣＤが容器内の所定の位置から脱落することがない。ここで「ＣＤ」とは、ＣＤやＭＤ、あるいはＤＶＤのような、光学情報メディアを総称する語である。
【背景技術】
【０００２】
ＣＤを収容する容器としてはさまざまなものが開発され、提案されているが、多くは材料にプラスチックを使用して射出成形により製作するものであり、容器にＣＤを固定する手段として最もよく採用されているのは、低い円筒形の突起を放射状のスリットで複数に分割して各片にバネ性を与えた係止手段を設け、これにＣＤの中心孔を嵌合させるタイプのものである。分割された各片の端には、放射方向に延びる突起が設けてあって、ＣＤを固定するときには、ＣＤの中心孔がこれらの突起を乗り越えてその下に入り、ＣＤを取り出すときには、ＣＤの中心孔が再びこれらの突起を乗り越えてその上に出る。
【０００３】
固定状態では、係止片の分割された各片が、上記のバネ作用により、ＣＤの中心孔に向かって内側から接触しているので、固定は確実に行なわれ、かつ、その状態が維持される。一方、ＣＤを取り出すときは、その周縁に指をかけて引き出すが、このとき、上記のようにＣＤの中心孔が係止片の分割された各片の突起を乗り越えなければならず、乗り越えが困難であればＣＤに大きな力が加わって、ＣＤが撓み、はなはだしい場合は破損するおそれがある。突起の乗り越えが容易なように係止手段を構成すると、固定が不確実になって、収容したＣＤが輸送中の振動などで外れる心配がある。
【０００４】
要するに、在来の、低い円筒形の突起を放射状スリットで分割して構成された各片のバネ性を利用するタイプの係止手段は、その形状・寸法の設計と製作精度、材料の物性、さらにはＣＤの中心孔の製作精度などにより、取り出しやすさが大きく影響される。この問題の一つの解決策として、分割された各片の上部を内側に求心方向に曲げて平らな面をつくり、そこを指先で押すことにより、各片の突起が多少とも内側に集まるようにしたものがあるが、あまり効果的とはいえない。
【発明の開示】
【発明が解決しようとする課題】
【０００５】
本発明の目的は、プラスチック製のＣＤ容器において、ＣＤを容器に収容するときも、容器から取り出すときも、ともに操作が容易であって、収容したＣＤの固定は確実に行なわれる一方で、取り出すときにＣＤが大きく撓んで破損する懸念があるような事態を避けたＣＤ容器を提供することにある。
【課題を解決するための手段】
【０００６】
本発明のＣＤ容器は、図１に示すように、背板（１）と、それを介して開閉可能に接続された、ともに浅い箱型をした表蓋（２）および裏蓋（３）とを最小限の構成要素として有する扁平箱型のＣＤ容器であって、背板（１）と表蓋（２）および裏蓋（３）との接続はヒンジ結合（４）とし、表蓋（２）と裏蓋（３）との嵌合により容器を閉じた状態に保つことができ、裏蓋（３）のほぼ中央には、裏蓋とＣＤとを離隔するスペーサー（５）と、収容されるＣＤの中心孔と嵌合してＣＤを固定するための係止装置を設けたＣＤ容器において、上記の係止装置が、図２ないし図４に示すように、γ字形状をした１個の可動片（６）と、それに対して独立であって、円周上のほぼ等間隔の位置において裏蓋から立ち上がり、ＣＤの中心孔に内接してその位置決めをする３個の固定片（７）とからなり、可動片（６）は、γ字形状の上部両端がそれぞれ、裏蓋からほぼ垂直に立ち上がる立ち上がり部材（６１，６２）を介して裏蓋（３）に連続することにより、裏蓋と平行な可動面（６４）を形成し、γ字形状の下部端からは、裏蓋に向かってほぼ垂直に立ち下がる立ち下がり部材（６３）が延び、可動面は立ち上がり部材のバネ作用により裏蓋に向かって若干変形可能であり、上記の立ち上がり部材（６１，６２）および立ち下がり部材（６３）の上部には、放射方向に突出した抑え突起（６５）を設け、それらの形成する外周をＣＤの中心孔の直径よりわずかに大きく形成することにより、収容状態では、図５に示すように、この抑え突起がＣＤ（９）の中心孔の上方に位置してこれと係合するとともにスペーサーと協働してＣＤを裏蓋に固定し、取り出し時には、図６に示すように、可動面を矢印の方向に押し下げて抑え突起をＣＤの下方に移動させ、係合を解除するように構成したＣＤ容器である。
【発明の効果】
【０００７】
本発明のＣＤ容器にＣＤを収容するときは、従来の容器と同様に、ＣＤの中心孔を係止装置に向けて押し込む。すると、ＣＤの中心孔は３本の固定片（７）にガイドされて進み、可動片の２個の立ち上がり部材および１個の立ち下がり部材に設けた抑え突起（６５）を乗り越えて、その下に位置する。このようにして抑え突起がＣＤの中心孔より上に存在することにより、図５に示したように、ＣＤは抑え突起（６５）とスペーサー（５）との間に挟まれて、裏蓋に固定される。この固定は強固であって、容器が輸送中などに動揺させられても、外れることはない。
【０００８】
ＣＤを取り出すときは、指先で裏蓋と平行な可動面（６４）を押し下げ、図６に示したように、抑え突起（６５）をＣＤの中心孔よりも下に来るようにする。可動面は、従来の放射状の分割により形成した各片の上部を曲げたものの集まりに比べ、一体で充分な広さの平面であるから、容易に押し下げることができる。可動片（６）の裏蓋（３）への接続はγ字形状の上部両端の立ち上がり部材（６１，６２）によっており、γ字形状の下部にある立ち下がり部材（６３）の部分は裏蓋から離れているから、可動面の上下動は、わずかな力を加えればでき、必要なストロークを確保することができる。このようにしてＣＤの中心孔が抑え突起を超えれば、もはやＣＤを規制するものはないから、容器から取り出すことは容易である。
【０００９】
場合によっては、可動面を押し下げることなく、ＣＤの周辺に指をかけて裏蓋（３）から引き出しても、ＣＤを容器から取り出すことができる。従来の放射状のスリットを入れてバネ性をもたせた係止手段によるときは、かならず全バネの集中する部分を押し下げないと、ＣＤを取り出すことができなかった。従来品はまた、ＣＤを容器に収容した状態で表蓋（２）から力が加わり、それが係止手段のバネを押し下げると、容器の内部でＣＤの係止がはずれてしまうという問題があったが、本発明の容器においては、３本の固定片（７）が表蓋（２）の変形を防止するから、表蓋への力によってＣＤが容器内部で係止装置から外れる心配はない。
【００１０】
上記したＣＤを取り外すために可動面を上下動させるストロークは、わずかで足りる。したがって、このＣＤ容器は薄手に形成することができる。薄手に形成できるということは、厚手に形成することが妨げられないから、広い範囲にわたって任意の厚さのＣＤ容器を製作することが可能である。
【発明を実施するための最良の形態】
【００１１】
容器を開くことを容易にするため、表蓋（２）および裏蓋（３）の周縁において、左右両側の辺から内側に向かって立ち上がる縁（２１，３１）のほぼ中央部に、容器を開くための後退部（２２，３２）を形成することが好ましい。周縁のその他の部分の少なくとも一部において、表蓋および裏蓋の一方に突出片（２３）を、他方にそれらに対応する溝（３３）をそれぞれ設けて、両者の嵌合により容器を閉じた状態を保てるようにすることが推奨される。
【００１２】
所望であれば、表蓋（２）の内部に、図１に示したように、Ｌ字型のパンフレット止め（２４）を設けることも可能である。裏蓋（３）には、係止装置と同心であってＣＤの外周よりわずかに大きい直径をもつ、連続的な、または断続的な突条（８）を設けて、ＣＤの周囲を限定するように構成すると、収容に好都合であり、かつ、動揺によるＣＤの動きを抑えることができて好ましい。
【００１３】
閉じられた容器内でのＣＤの固定をより確実にしたい場合は、発明者がさきに提案した実用新案登録第３０７４１１８号の抑え込み手段を採用するとよい。その抑え込み手段は、図１に示したように、背板（１）のほぼ中央に、それから垂直に立ち上がる背板ＣＤ抑え（１１）を設け、かつ、表蓋（２）の背板ＣＤ抑えに対応する位置に、表蓋ＣＤ抑え（２５）を設け、ＣＤ容器を閉じたときに、背板ＣＤ抑えと表蓋ＣＤ抑えとが、図７に示すように協働してＣＤ（９）を抑え込み、係止装置から離脱することを防止する構造のものである。
【００１４】
本発明のＣＤ容器を製造する材料は、任意に選択することができるが、ヒンジ結合が耐久性を示す材料として知られる、ポリプロピレンが最も有力である。ポリプロピレンは加工性にすぐれたプラスチックであり、射出成形により本発明のＣＤ容器を一体に製作することが推奨される。
【図面の簡単な説明】
【００１５】
【図１】本発明のＣＤ容器の一例について、全体の構造を示す内面の展開図。
【図２】図１のＣＤ容器の係止装置の部分の拡大平面図。
【図３】図２のＡ−Ａ方向の断面図。
【図４】図２のＢ−Ｂ方向の断面図。
【図５】図１のＣＤ容器にＣＤを収容したときの固定状態を示す、係止装置部分の拡大断面図。
【図６】図５の状態からＣＤを取り出したときの、係止装置部分の拡大断面図。
【図７】図１のＣＤ容器において、容器を閉じたときにＣＤが抑え込まれた状態を示す横断面図。
【符号の説明】
【００１６】
１  背板
１１  背板ＣＤ抑え
２  表蓋
２１  縁      ２２  後退部      ２３  突出片      ２４  パンフレット止め    
２５  表蓋ＣＤ抑え
３  裏蓋
３１  縁      ３２  後退部      ３３  溝
４  ヒンジ結合
５  スペーサー
６  可動片
６１，６２  立ち上がり部材      ６３  立ち下がり部材    
６４  裏蓋と平行な可動面      ６５  抑え突起
７  固定片
８  突条
９  ＣＤ
【図１】
0004513761.tif 000002
【図２】
0004513761.tif 000003
【図３】
0004513761.tif 000004
【図４】
0004513761.tif 000005
【図５】
0004513761.tif 000006
【図６】
0004513761.tif 000007
【図７】
0004513761.tif 000008